(57)【要約】【課題】着信報知を簡単に行うことが可能な通信端末を提供する。【解決手段】通信端末１００は、電子メールを記憶するデータ記憶部１５と、音声通信を行う通信部１３と、データ記憶部１５が記憶している電子メールに関するデータを変換して、音声通信の内容を報知するための着信データを作成する変換処理部１２と有し、通信部１３が、音声通信の開始以前に着信データを送付する。【選択図】図１
2009055213.tif 000002
【特許請求の範囲】
【請求項１】
電子メールを記憶する電子メール記憶部と、
音声通信を行う音声通信部と、
前記電子メール記憶部が記憶している電子メールに関するデータを変換して、前記音声通信の内容を報知するための着信データを作成する着信データ作成部と、
前記音声通信の開始以前に前記着信データを送付する着信データ送付部と、
を有する通信端末。
【請求項２】
請求項１に記載の通信端末であって、
前記着信データ送付部は、前記音声通信部が前記音声通信を開始する際に前記着信データを送付する通信端末。
【請求項３】
請求項１に記載の通信端末であって、
前記音声通信部は、前記着信データ送付部による前記着信データの送付後に、前記音声通信を開始する通信端末。
【請求項４】
請求項３に記載の通信端末であって、更に、
前記着信データが受信されたことを通知する着信確認データを受信する着信確認データ受信部を有し、
前記音声通信部は、前記着信確認データ受信部が前記着信確認データを受信した後に、前記音声通信を開始する通信端末。
【請求項５】
請求項１ないし４のいずれか１項に記載の通信端末であって、
通信先へ前記電子メールを送信または受信する場合の送信先または受信元のアドレスを示すアドレス情報と前記通信先へ前記音声通信を行う場合の発信先番号を示す発信先情報とを関連付けて記憶するアドレス記憶部を有し、
前記音声通信部は、前記アドレス記憶部を参照して、電子メール記憶部に記憶された電子メールのアドレス情報を前記発信先情報へ変換し、前記発信先番号へ前記音声通信を行うための音声発信を行う通信端末。
【請求項６】
請求項５に記載の通信端末であって、
前記アドレス情報に含まれるアドレスにおけるドメイン名に基づいて、前記アドレス情報を有する通信端末における前記着信データの受信の可否を判定する判定部を有し、
前記着信データ送付部は、前記判定部によって前記着信データの受信が可能であると判定された場合、前記アドレスへ前記着信データを送付する通信端末。
【請求項７】
請求項６に記載の通信端末であって、
前記着信データ送付部は、前記判定部によって前記着信データの受信が不可能であると判定された場合、前記アドレスへ前記着信データを電子メールで送付する通信端末。
【請求項８】
請求項１ないし７のいずれか１項に記載の通信端末であって、
前記着信データ作成部は、新規に作成される電子メールに関するデータを変換して、前記着信データを作成する通信端末。
【請求項９】
請求項１ないし７のいずれか１項に記載の通信端末であって、
前記着信データ作成部は、前記電子メール記憶部が記憶している受信した電子メールに関するデータを変換して、前記着信データを作成する通信端末。
【請求項１０】
請求項１ないし７のいずれか１項に記載の通信端末であって、
前記着信データ作成部は、前記電子メール記憶部が記憶している送信した電子メールに関するデータを変換して、前記着信データを作成する通信端末。
【請求項１１】
請求項１ないし１０のいずれか１項に記載の通信端末であって、
前記着信データ作成部は、テキストデータ、メロディデータ、画像データのうち少なくとも一つを含む着信データを作成し、
前記着信データ送付部は、パケット通信によって前記着信データを送付する通信端末。
【請求項１２】
請求項１ないし１０のいずれか１項に記載の通信端末であって、
前記着信データ作成部は、テキストデータからなる着信データを作成し、
前記着信データ送付部は、回線交換方式によって前記着信データを送付する通信端末。
【請求項１３】
請求項１ないし１２のいずれか１項に記載の通信端末であって、
前記音声通信部は、無線又は有線の回線交換方式による音声通信を行う通信端末。
【請求項１４】
請求項１１に記載の通信端末であって、
前記着信データ作成部は、前記電子メールに含まれる画像データまたはメロディデータを前記着信データの添付ファイルとして前記着信データを作成する通信端末。
【請求項１５】
請求項１１または１２に記載の通信端末であって、
前記着信データ作成部は、前記電子メールに含まれるテキストデータを前記着信データのタイトルとして前記着信データを作成する通信端末。
【請求項１６】
請求項１５に記載の通信端末であって、
前記着信データ作成部は、前記電子メールに含まれるテキストデータに含まれる所定長のテキストデータを前記着信データのタイトルとして前記着信データを作成する通信端末。
【請求項１７】
請求項１ないし１６に記載の通信端末であって、更に、
前記着信データを受信する着信データ受信部を有する通信端末。
【請求項１８】
通信端末において、
音声通信を行う音声通信ステップと、
電子メール記憶部が記憶している電子メールに関するデータを変換して、前記音声通信の内容を報知するための着信データを作成する着信データ作成ステップと、
前記音声通信の開始以前に前記着信データを送付する着信データ送付ステップと
を有する通信方法。
【請求項１９】
請求項１７に記載の通信方法であって、
前記着信データ送付ステップにおいて、前記音声通信を開始する際に前記着信データを送付する通信方法。
【請求項２０】
請求項１７に記載の通信方法であって、
前記音声通信ステップにおいて、前記着信データの送付後に、前記音声通信を開始する通信方法。
【請求項２１】
請求項２０に記載の通信方法であって、更に、
前記着信データが受信されたことを通知する着信確認データを受信する着信確認データ受信ステップを有し、
前記着信確認データ受信ステップにおいて前記着信確認データを受信した後に、前記音声通信ステップにおいて前記音声通信を開始する通信方法。
【請求項２２】
請求項１８ないし２１のいずれか１項に記載の通信方法であって、
前記音声通信ステップにおいて、通信先へ前記電子メールを送信または受信する場合の送信先または受信元のアドレスを示すアドレス情報と前記通信先へ前記音声通信を行う場合の発信先番号を示す発信先情報とを関連付けて記憶する前記アドレス記憶部を参照して、電子メール記憶部に記憶された電子メールのアドレス情報を前記発信先情報へ変換し、前記発信先番号へ前記音声通信を行うための音声発信を行う通信方法。
【請求項２３】
請求項２２に記載の通信方法であって、
前記アドレス情報に含まれるアドレスにおけるドメイン名に基づいて、前記アドレス情報を有する通信端末における前記着信データの受信の可否を判定する判定ステップを有し、
前記着信データ送付ステップにおいて、前記着信データの受信が可能であると判定された場合、前記アドレスへ前記着信データを送付する通信方法。
【請求項２４】
請求項２３に記載の通信方法であって、
前記着信データ送付ステップにおいて、前記着信データの受信が不可能であると判定された場合、前記着信データを電子メールで送付する通信方法。
【請求項２５】
請求項１８ないし２４のいずれか１項に記載の通信方法であって、
前記着信データ作成ステップにおいて、新規に作成される電子メールに関するデータを変換して、前記着信データを作成する通信方法。
【請求項２６】
請求項１８ないし２４のいずれか１項に記載の通信方法であって、
前記着信データ作成ステップにおいて、前記電子メール記憶部が記憶している受信した電子メールに関するデータを変換して、前記着信データを作成する通信方法。
【請求項２７】
請求項１８ないし２４のいずれか１項に記載の通信方法であって、
前記着信データ作成ステップにおいて、前記電子メール記憶部が記憶している送信した電子メールに関するデータを変換して、前記着信データを作成する通信方法。
【請求項２８】
請求項１８ないし２７のいずれか１項に記載の通信方法であって、更に、
前記着信データを受信するステップを有する通信方法。
【発明の詳細な説明】
【技術分野】
【０００１】
本発明は、通信端末および通信方法に関し、特に、メールデータからＣＳＩファイルを簡易に作成するための方法に関する。
【背景技術】
【０００２】
近年、ＩＰ（Ｉｎｔｅｒｎｅｔ  Ｐｒｏｔｏｃｏｌ）技術やインターネット電話で使われるプロトコルであるＳＩＰ（Ｓｅｓｓｉｏｎ  Ｉｎｉｔｉａｔｉｏｎ  Ｐｒｏｔｏｃｏｌ）で統合し、マルチメディアサービスを実現させる通信方式の１つであるＩＭＳ（ＩＰ  Ｍｕｌｔｉｍｅｄｉａ  Ｓｅｒｖｉｃｅ）が導入され、広まってきている。このようなＩＭＳのＰ２Ｐ  （Ｐｅｅｒ  ｔｏ  Ｐｅｅｒ）  Ｓｏｌｕｔｉｏｎと既存の呼サービスを組み合わせたサービスとして、ＣＳＩ機能がある。
【０００３】
ＣＳＩとはＣｏｍｂｉｎｉｎｇ  ｃｉｒｃｕｉｔ  Ｓｗｉｔｃｈｅｄ  ａｎｄ  ＩＭＳの略語であり、ＣＳ（Ｃｉｒｃｕｉｔ  Ｓｗｉｔｃｈ）とＩＭＳを組み合わせたサービスとして定義される。ＣＳＩ機能により、ＴＶ電話等により音声発信を行う前にＩＭＳを使用して相手に対し発信を行う発信端末から着信音、着信画像イメージ、テキストなどをあらかじめ送付し、着信を行う着信端末はそのファイルを再生することで音声着信があることを知ることが可能となる。
【０００４】
ＣＳＩ機能は、例えば着信端末の着信画面を指定するなど、着信を報知するための着信報知機能の１つである。ＣＳＩ機能を利用したＣＳＩサービスとして、例えば、発信端末が着信端末に対し“緊急呼び出し”である旨をメッセージ、着信音、着信画像イメージを通じて通知することが行われている。
【０００５】
ＣＳＩサービスでは、発信端末がＣＳＩ発信を行う。ＣＳＩ発信では、着信端末へ音声発信を行うとともに、この音声発信に関する情報を報知するためのＣＳＩファイルを送信する。また、ＣＳＩサービスでは、着信端末がＣＳＩ着信を行う。ＣＳＩ着信では、発信端末からの電話着信を行うとともに、ＣＳＩファイルを受信する。
【０００６】
図８は、従来のＣＳＩサービスの一例を示す図である。
発信端末の画面８１０はＣＳＩ発信時にＣＳＩデータを入力するための画面の一例であり、画面８１０には「テキスト」、「イメージ」および「サウンド」の入力ウィンドウと、「メニュー」および「プレビュー」ボタンが表示される。発信端末は、ＣＳＩファイルを作成するかまたは既存のＣＳＩファイルを選択する。ＣＳＩ発信されると（ステップＳ８０１）、発信端末の画面８２０には、例えば「ＣＳＩデータ送信中」と「キャンセル」ボタンが表示される。送信が完了すると（ステップＳ８０２）、着信端末の着信画面８３０に、例えば「緊急！！早く出て！○○××さん」と表示される。着信端末が通話許可を行うと、通話が開始される（ステップＳ８０３）。
【０００７】
図９は、従来の発信端末が行うＣＳＩ発信フローを示す図である。
【０００８】
ＣＳＩ発信処理をスタートすると、まずＣＳＩファイル作成において、新規にＣＳＩファイル作成を行うか、既存ファイルを利用してＣＳＩファイルを作成するかを選択する（ステップＳ５１）。
【０００９】
新規作成を選択する場合は、ＣＳＩ編集アプリケーションを起動する（ステップＳ５２）。
続いて、テキストを入力するかどうかを選択し（ステップＳ５３）、テキストを入力する場合（Ｙｅｓ）は、テキストの入力処理を行う（ステップＳ５４）。テキストを入力しない場合は、ステップＳ５４の処理をスキップする。続いて、メロディを添付するかどうか選択し（ステップＳ５５）、メロディを添付する場合（Ｙｅｓ）は、メロディの添付処理を行う（ステップＳ５６）。メロディを添付しない場合は、ステップＳ５６の処理をスキップする。続いて、画像を添付するかどうかを選択し（ステップＳ５７）、画像を添付する場合（Ｙｅｓ）は、画像の添付処理を行う（ステップＳ５８）。画像を添付しない場合は、ステップＳ５８の処理をスキップする。
【００１０】
一方、ステップＳ５１において、既存のファイルを利用する場合は、既存のファイルが格納されているアプリケーションを起動し（ステップＳ５９）、ファイルを選択する（ステップＳ６０）。
【００１１】
ステップＳ５７、Ｓ５８、またはＳ６０の処理後、電話番号の入力処理を行う（ステップＳ６１）。続いて、発信確認画面を表示し（ステップＳ６２）、発信処理を行う（ステップＳ６３）。
【００１２】
また、着信報知機能を有する装置の他の一例として、例えば、登録サーバを用いて、着信側の電話機の着信報知動作（着信音、着信画面など）を発信側の意図に応じて変化させられるようにする通信制御装置が知られている。（例えば、特許文献１参照）。
【００１３】
【特許文献１】特開２００３−１７４５１１号公報
【発明の開示】
【発明が解決しようとする課題】
【００１４】
しかしながら、従来のＣＳＩ発信を行う場合、発信端末が着信音、着信画像、テキストメッセージを事前に入力する必要があった。また、特許文献１の通信制御装置によって着信報知を行う場合、着信通知動作の情報をあらかじめ入力して登録しなければならない。これらの入力をひとつひとつ手動で行うと非常に時間がかかり、緊急時の利用など不便な場合がある。
【００１５】
本発明は、上記事情に鑑みてなされたものであって、着信報知を簡単に行うことが可能な通信端末および通信方法を提供することを目的としている。
【課題を解決するための手段】
【００１６】
上記目的を達成するために、本発明の第１の通信端末は、電子メールを記憶する電子メール記憶部と、音声通信を行う音声通信部と、前記電子メール記憶部が記憶している電子メールに関するデータを変換して、前記音声通信の内容を報知するための着信データを作成する着信データ作成部と、前記音声通信の開始以前に前記着信データを送付する着信データ送付部と、を有する構成としている。
【００１７】
上記構成によれば、着信報知を簡単に行うことが可能になる。例えばメールデータを着信データ（例えばＣＳＩデータ）に変換することにより、発信者の意図を反映したＣＳＩファイルを自動で作成することができる。したがって、発信者が着信音、着信画像、テキストメッセージなどを事前にひとつひとつ手動で入力する必要がなく、着信データを自動で作成することができる。
【００１８】
また、本発明の第２の通信端末は、前記着信データ送付部が、前記音声通信部が前記音声通信を開始する際に前記着信データを送付する構成としている。
【００１９】
上記構成によれば、通話開始時に、通話者同士が通話の内容を知ることが可能となる。
【００２０】
また、本発明の第３の通信端末は、前記音声通信部が、前記着信データ送付部による前記着信データの送付後に、前記音声通信を開始する構成としている。
【００２１】
上記構成によれば、着信データを送付した後に音声通信を行うため、音声通信を行う前に、通話者同士が事前に会話の話題を知ることが可能となる。
【００２２】
また、本発明の第４の通信端末は、前記着信データが受信されたことを通知する着信確認データを受信する着信確認データ受信部を有し、前記音声通信部が、前記着信確認データ受信部が前記着信確認データを受信した後に、前記音声通信を開始する構成としている。
【００２３】
上記構成によれば、着信データが着信側端末に着信したことを確認する着信確認データを受信した後に通信を開始するので、発信者の意図を反映した通話を行うことができる。
【００２４】
また、本発明の第５の通信端末は、通信先へ前記電子メールを送信または受信する場合の送信先または受信元のアドレスを示すアドレス情報と前記通信先へ前記音声通信を行う場合の発信先番号を示す発信先情報とを関連付けて記憶するアドレス記憶部を有し、前記音声通信部が、前記アドレス記憶部を参照して、電子メール記憶部に記憶された電子メールのアドレス情報を前記発信先情報へ変換し、前記発信先番号へ前記音声通信を行うための音声発信を行う構成としている。
【００２５】
上記構成によれば、通話を希望する相手先の電話番号を入力する必要がなく自動的に設定されるため、ユーザの利便性が向上する。
【００２６】
また、本発明の第６の通信端末は、前記アドレス情報に含まれるアドレスにおけるドメイン名に基づいて、前記アドレス情報を有する通信端末における前記着信データの受信の可否を判定する判定部を有し、前記着信データ送付部が、前記判定部によって前記着信データの受信が可能であると判定された場合、前記アドレスへ前記着信データを送付する構成としている。
【００２７】
上記構成によれば、例えばＣＳＩファイルを受信可能な端末に対してのみ、ＣＳＩファイルを送付することができ、確実に通信相手へ通話の内容を伝えることが可能となる。
【００２８】
また、本発明の第７の通信端末は、前記着信データ送付部が、前記判定部によって前記着信データの受信が不可能であると判定された場合、前記アドレスへ前記着信データを電子メールで送付する構成としている。
【００２９】
上記構成によれば、着信端末側が着信データを見ることができない非対応端末である場合であっても、発信端末からの通話予定の内容を確認することが可能になる。
【００３０】
また、本発明の第８の通信端末は、前記着信データ作成部が、新規に作成される電子メールに関するデータを変換して、前記着信データを作成する構成としている。
【００３１】
上記構成によれば、送信メールや受信メールなどすでに作成された電子メールが電子メール記憶部へ記憶されていない場合であっても、電子メールを作成する手順で簡単に着信データを作成することが可能となり、着信があった時点で、通話者同士が事前に会話の話題を知ることが可能となる。
【００３２】
また、本発明の第９の通信端末は、前記着信データ作成部が、前記電子メール記憶部が記憶している受信した電子メールに関するデータを変換して、前記着信データを作成する構成としている。
【００３３】
上記構成によれば、受信メールを利用する場合においては、元々発信する相手からきたメールの内容を利用するので、着信があった時点で、通話者同士が事前に会話の話題を知ることが可能となる。
【００３４】
また、本発明の第１０の通信端末は、前記着信データ作成部が、前記電子メール記憶部が記憶している送信した電子メールに関するデータを変換して、前記着信データを作成する構成としている。
【００３５】
上記構成によれば、送信メールを利用する場合においては、元々発信する相手へ送ったメールの内容を利用するので、着信があった時点で、通話者同士が事前に会話の話題を知ることが可能となる。
【００３６】
また、本発明の第１１の通信端末は、前記着信データ作成部が、テキストデータ、メロディデータ、画像データのうち少なくとも一つを含む着信データを作成し、前記着信データ送付部が、パケット通信によって前記着信データを送付する構成としている。
【００３７】
上記構成によれば、メールの作成と同様の手順で着信データを作成できるため、操作方法を覚える必要がなく、煩わしい着信データの作成手順を簡略化することができる。また、着信データ作成時のユーザの入力回数を削減することが可能となる。
【００３８】
また、本発明の第１２の通信端末は、前記着信データ作成部が、テキストデータからなる着信データを作成し、前記着信データ送付部が、回線交換方式によって前記着信データを送付する構成としている。
【００３９】
上記構成によれば、メールの作成と同様の手順で着信データを作成できるため、操作方法を覚える必要がなく、煩わしい着信データの作成手順を簡略化することができる。また、着信データ作成時のユーザの入力回数を削減することが可能となる。
【００４０】
また、本発明の第１３の通信端末は、前記音声通信部が、無線又は有線の回線交換方式による音声通信を行う構成としている。
【００４１】
また、本発明の第１４の通信端末は、前記着信データ作成部が、前記電子メールに含まれる画像データまたはメロディデータを前記着信データの添付ファイルとして前記着信データを作成する構成としている。
【００４２】
上記構成によれば、着信データの添付ファイルを入力する必要がなく自動的に設定されるため、ユーザの利便性が向上する。
【００４３】
また、本発明の第１５の通信端末は、前記着信データ作成部が、前記電子メールに含まれるテキストデータを前記着信データのタイトルとして前記着信データを作成する構成としている。
【００４４】
上記構成によれば、着信データのタイトルを入力する必要がなく自動的に設定されるため、ユーザの利便性が向上する。
【００４５】
また、本発明の第１６の通信端末は、前記着信データ作成部が、前記電子メールに含まれるテキストデータに含まれる所定長のテキストデータを前記着信データのタイトルとして前記着信データを作成する構成としている。
【００４６】
上記構成によれば、着信データのタイトルの設定可能な長さが所定長である場合であっても、着信データのタイトルを入力する必要がなく自動的に設定することが可能であり、ユーザの利便性が向上する。
【００４７】
また、本発明の第１７の通信端末は、前記着信データを受信する着信データ受信部を有する構成としている。
【００４８】
上記構成によれば、着信データを受信する着信端末として通信端末が動作することが可能となる。
【００４９】
また、本発明の第１の通信方法は、通信端末において、音声通信を行う音声通信ステップと、電子メール記憶部が記憶している電子メールに関するデータを変換して、前記音声通信の内容を報知するための着信データを作成する着信データ作成ステップと、前記音声通信の開始以前に前記着信データを送付する着信データ送付ステップとを有する方法としている。
【００５０】
上記方法によれば、着信報知を簡単に行うことが可能になる。例えばメールデータを着信データ（例えばＣＳＩデータ）に変換することにより、発信者の意図を反映したＣＳＩファイルを自動で作成することができる。したがって、発信者が着信音、着信画像、テキストメッセージなどを事前にひとつひとつ手動で入力する必要がなく、着信データを自動で作成することができる。
【００５１】
また、本発明の第２の通信方法は、前記着信データ送付ステップにおいて、前記音声通信を開始する際に前記着信データを送付する方法としている。
【００５２】
上記方法によれば、通話開始時に、通話者同士が通話の内容を知ることが可能となる。
【００５３】
また、本発明の第３の通信方法は、前記音声通信ステップにおいて、前記着信データの送付後に、前記音声通信を開始する方法としている。
【００５４】
上記方法によれば、着信データの着信があった時点で、通話者同士が事前に会話の話題を知ることが可能となる。
【００５５】
また、本発明の第４の通信方法は、前記着信データが受信されたことを通知する着信確認データを受信する着信確認データ受信ステップを有し、前記着信確認データ受信ステップにおいて前記着信確認データを受信した後に、前記音声通信ステップにおいて前記音声通信を開始する方法としている。
【００５６】
上記方法によれば、着信データが着信側端末に着信したことを確認する着信確認データを受信した後に通信を開始するので、発信者の意図を反映した通話を行うことができる。
【００５７】
また、本発明の第５の通信方法は、前記音声通信ステップにおいて、通信先へ前記電子メールを送信または受信する場合の送信先または受信元のアドレスを示すアドレス情報と前記通信先へ前記音声通信を行う場合の発信先番号を示す発信先情報とを関連付けて記憶する前記アドレス記憶部を参照して、電子メール記憶部に記憶された電子メールのアドレス情報を前記発信先情報へ変換し、前記発信先番号へ前記音声通信を行うための音声発信を行う方法としている。
【００５８】
上記方法によれば、通話を希望する相手先の電話番号を入力する必要がなく自動的に設定されるため、ユーザの利便性が向上する。
【００５９】
また、本発明の第６の通信方法は、前記アドレス情報に含まれるアドレスにおけるドメイン名に基づいて、前記アドレス情報を有する通信端末における前記着信データの受信の可否を判定する判定ステップを有し、前記着信データ送付ステップにおいて、前記着信データの受信が可能であると判定された場合、前記アドレスへ前記着信データを送付する方法としている。
【００６０】
上記方法によれば、例えばＣＳＩファイルを受信可能な端末に対してのみ、ＣＳＩファイルを送付することができ、確実に通信相手へ通話の内容を伝えることが可能となる。
【００６１】
また、本発明の第７の通信方法は、前記着信データ送付ステップにおいて、前記着信データの受信が不可能であると判定された場合、前記着信データを電子メールで送付する方法としている。
【００６２】
上記方法によれば、着信端末側が着信データを見ることができない非対応端末である場合であっても、発信端末からの通話予定の内容を確認することが可能になる。
【００６３】
また、本発明の第８の通信方法は、前記着信データ作成ステップにおいて、新規に作成される電子メールに関するデータを変換して、前記着信データを作成する方法としている。
【００６４】
上記方法によれば、送信メールや受信メールなどすでに作成された電子メールが電子メール記憶部へ記憶されていない場合であっても、電子メールを作成する手順で簡単に着信データを作成することが可能となり、着信があった時点で、通話者同士が事前に会話の話題を知ることが可能となる。
【００６５】
また、本発明の第９の通信方法は、前記着信データ作成ステップにおいて、前記電子メール記憶部が記憶している受信した電子メールに関するデータを変換して、前記着信データを作成する方法としている。
【００６６】
上記方法によれば、受信メールを利用する場合においては、元々発信する相手からきたメールの内容を利用するので、着信があった時点で、通話者同士が事前に会話の話題を知ることが可能となる。
【００６７】
また、本発明の第１０の通信方法は、前記着信データ作成ステップにおいて、前記電子メール記憶部が記憶している送信した電子メールに関するデータを変換して、前記着信データを作成する方法としている。
【００６８】
上記方法によれば、送信メールを利用する場合においては、元々発信する相手へ送ったメールの内容を利用するので、着信があった時点で、通話者同士が事前に会話の話題を知ることが可能となる。
【００６９】
また、本発明の第１１の通信方法は、前記着信データを受信するステップを有する方法としている。
【００７０】
上記方法によれば、着信データを受信する着信端末として通信端末を動作させることが可能となる。
【発明の効果】
【００７１】
本発明は、着信報知を簡単に行うことが可能な通信端末および通信方法を提供することができる。例えば、メールから自動でＣＳＩファイルを作成することで、より簡素化かれた方法でＣＳＩ発信することが可能となる。また、ユーザの入力回数をより少なくなるため、ユーザビリティが向上される。また、メールの利用方法を知っていればＣＳＩを利用するための特別な知識を必要としないので、煩わしいＣＳＩファイルの作成手順を簡略し、ＣＳＩの利用促進を図ることができる。
【発明を実施するための最良の形態】
【００７２】
本発明の実施形態にかかる通信端末および通信方法について、図面を参照しながら、以下に説明する。
【００７３】
図１は、本発明の実施形態にかかる通信端末１００の概略構成の一例を説明するためのブロック図である。通信端末１００は、入力部１１と、変換処理部１２と、アドレス記憶部１３と、通信部１４と、データ記憶部１５と、表示部１６と、音声出力部１７と、制御部１８とを有して構成される。通信端末１００としては、携帯電話装置やＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）などが考えられる。
【００７４】
入力部１１は、メール（電子メール）の返信ファイルや転送ファイルを作成するためのキー操作や複数添付ファイルがある場合の選択操作や、その他各種設定等を行う。
【００７５】
変換処理部１２は、メールからＣＳＩファイル、およびＣＳＩファイルからメールを作成するための変換処理を行う。ＣＳＩファイルには、タイトル、画像データ、サウンド（メロディ）データのいずれかが少なくとも含まれる。尚、変換処理部１２は「着信データ作成部」としての機能を有する。
【００７６】
アドレス記憶部１３は、相手名称、電話番号、メールアドレス等を対応づけたアドレス帳を管理し、記憶する。
【００７７】
通信部１４は、音声通信、メールの送受信、ＣＳＩファイルの送受信などの各処理を行う。尚、通信部１４は、「音声通信部」、「着信データ送付部」、「着信データ受信部」、「着信確認データ受信部」としての機能を有する。
【００７８】
データ記憶部１５は、送受信を行ったメールやＣＳＩファイルの本文や添付ファイルとして添付される画像（静止画や、動画や、アニメーションを含む）やサウンド（メロディ）のファイル等を記憶する。これらのデータは、メール送受信の履歴や、ＣＳＩ送受信の履歴として参照される。尚、メロディファイルは、楽曲や、効果音、音声など音に関するデータを広く含むものである。また、通信端末１００がメールの送信や受信を行った場合、自動的に送信メール履歴、受信メール履歴としてデータ記憶部１５に記憶される。また、通信端末１００がＣＳＩファイルの送信や受信を行った場合、自動的に送信ＣＳＩファイル履歴、受信ＣＳＩファイル履歴としてデータ記憶部１５に記憶される。尚、データ記憶部１５は「電子メール記憶部」としての機能を有する。
【００７９】
表示部１６は、ＬＣＤや有機ＥＬなどで構成され、各種データの表示を行う。例えば、ＣＳＩファイルやメールの文字情報や添付ファイルの情報等を表示する。
【００８０】
音声出力部１７は、各種データの音声出力を行う。例えば、ＣＳＩファイルやメールのサウンド情報（音声や、楽曲など音声以外のメロディ等を含む）を出力する。
【００８１】
制御部１８は、各構成要素１１〜１７についての各種制御を行う。
【００８２】
また、通信端末１００は、ＣＳＩ発信およびＣＳＩ着信をパケット交換方式で実施する。また、通信端末１００は、音声発信および電話着信を回線交換方式またはパケット交換方式で行う。
【００８３】
次に、通信端末１００間で実施されるＣＳＩ発信およびＣＳＩ着信について、概要を説明する。図２は、メールからＣＳＩファイルに変換してＣＳＩ発信を行う場合の通信端末１００間（通信端末１００Ａおよび１００Ｂ）の動作シーケンスの一例を示す図である。尚、通信端末１００および１００Ｂは、通信端末１００の一例である。
【００８４】
ＣＳＩ発信およびＣＳＩ着信は、パケット交換方式を利用する着信報知サービスの一例である。ＣＳＩ発信およびＣＳＩ着信では、パケット交換方式を利用したＣＳＩファイルの送受信による着信報知を行うことが可能である。
【００８５】
通信端末１００Ａは、メール作成画面２１０でメール新規作成を選択し、例えば、タイトルに「打合せについて」と入力し、本文に「会議が終わり次第連絡下さい」と入力する。そして、通信端末１００Ｂへメール送信する（ステップＳ２０１）。
【００８６】
通信端末１００Ｂがこのメールを受信すると、表示部１６はメール本文表示画面２２０の本文「会議が終わり次第連絡下さい」を表示するとともに、例えば「返信：ＣＳＩ発信」を表示する。通信端末１００Ｂがメール本文表示中にＣＳＩ発信を選択すると、通信端末１００ＡにＣＳＩ発信される（ステップＳ２０２）。この場合、ＣＳＩファイルは受信したメールを元に自動で作成される。ＣＳＩファイルを送信前に発信確認画面でプレビュー、編集することも可能である。
【００８７】
そして、通信端末１００Ａは電話着信時にＣＳＩファイルを受信する。この場合、通信端末１００Ａの表示部１６は画面２３０のように「Ｒｅ：打合せについて○○××さん」と表示し、通信端末１００Ａのユーザが入力部１１より通話開始の操作を行うと、通信端末１００Ａと１００Ｂとの間で通話が開始される（ステップＳ２０３）。
【００８８】
このように、通信端末１００Ｂは、例えば、打ち合わせについてという情報とともに相手に電話することが可能となる。また、通信端末１００Ａのユーザは、電話着信時に表示部１６を見ることで送信メールに対する返事の電話ということが認識できる。
【００８９】
次に、通信端末１００が行うＣＳＩ発信フローの一例について説明する。図３は、発信側の通信端末１００がメールからＣＳＩファイルに変換してＣＳＩ発信を行う場合の動作の一例を示すフローチャートである。
【００９０】
まず、例えば入力部１１により、データ記憶部に記憶されたメールのメール本文表示中にＣＳＩ返信を選択する（ステップＳ１１）。
【００９１】
続いて、変換処理部１２は、メールからＣＳＩファイルへ変換する変換処理を行う（ステップＳ１２）。この変換処理については後に詳述する。
【００９２】
続いて、表示部１６はＣＳＩ発信確認画面を表示し（ステップＳ１３）、入力部１１より確認操作が行なわれた後、通信部１４はＣＳＩ発信を行う（ステップＳ１４）。着信側の通信端末１００において、通信部１４がＣＳＩ着信し、入力部１１等により通話許可を行うと、発信側の通信端末１００と着信側の通信端末１００が通話状態となる。
【００９３】
次に、通信端末１００が行うＣＳＩファイル変換処理の一例について説明する。図４は、通信端末１００がメールからＣＳＩファイルに変換する際の動作の一例を示すフローチャートである。
【００９４】
まず、変換処理部１２は、メールにタイトルが記入されているか否かを判断する。（ステップＳ２１）。
【００９５】
タイトルが記入されている場合（ステップＳ２１のＹｅｓ）、変換処理部１２は、タイトルを抽出し、データ記憶部１５に記憶されたメールに対する返信としてＣＳＩファイルを作成する場合、「Ｒｅ：」を付加してＣＳＩファイルのテキスト部分に設定する（ステップＳ２２）。
【００９６】
一方、タイトルが未記入の場合（ステップＳ２１のＮｏ）、変換処理部１２は、メール本文の一部をタイトルとして設定する（ステップＳ２３）。タイトルが未記入の場合とは、例えばＳＭＳ（Ｓｈｏｒｔ  Ｍｅｓｓａｇｅ  Ｓｅｒｖｉｃｅｓ）等の場合や、Ｅ−ｍａｉｌのＳｕｂｊｅｃｔが設定されていない場合や、ＳＭＳからのメッセージをＥ−ｍａｉｌで受信したため定型文が記入されている場合などである。本文の一部とは、例えば本文の冒頭における所定の文字数とすることができる。また、タイトルが未記入の場合、タイトルを設定しなくてもよい。
【００９７】
続いて、変換処理部１２は、データ記憶部１５に記憶されたメールに画像ファイルが添付されているか否かを判断する（ステップＳ２４）。
【００９８】
画像ファイルが添付されている場合（ステップＳ２４のＹｅｓ）、変換処理部１２は、画像データを抽出し、ＣＳＩファイルの画像部分にデータを設定する（ステップＳ２５）。画像が複数抽出された場合は、連続表示（アニメーション）にファイルを変換することや、複数の画像を連続表示するように指定を行なうことを、ユーザの指示により入力部１１に選択させたりしてもよい。
【００９９】
一方、画像ファイルが添付されていない場合（ステップＳ２４のＮｏ）、変換処理部１２は、例えばメール本文から絵文字（ＨＴＭＬメールであれば本文中の画像）を抽出し、ＣＳＩとして利用可能なファイル（例えば静止画ファイル）に変換し、ＣＳＩファイルの画像部分にデータを設定する（ステップＳ２６）。また、画像ファイルが添付されていない場合には、画像データを設定しなくてもよい。
【０１００】
続いて、変換処理部１２は、データ記憶部１５に記憶されたメールにメロディファイルが添付されているか否かを判断する（ステップＳ２７）。
【０１０１】
メロディファイルが添付されている場合（ステップＳ２７のＹｅｓ）、変換処理部１２は、メロディデータを抽出し、ＣＳＩファイルのメロディ部分に設定する（ステップＳ２８）。メロディファイルが添付されていない場合（ステップＳ２７のＮｏ）、ステップＳ２８の処理をスキップする。
【０１０２】
続いて、変換処理部１２は、発信処理を行うための発信番号を設定し、通信部１４は、ＣＳＩ発信を行う（ステップＳ２９）。この場合、例えば、メールの送信元のアドレスをアドレス記憶部１３のアドレス帳から検索し、送信元のアドレスに対応する電話番号を特定し、この電話番号を発信番号として設定し、発信処理を行う。また、メール本文に連絡先の電話番号が記載されている場合は、これを抽出して設定してもよい。
【０１０３】
図３、図４の処理を行う通信端末１００によれば、一般的に利用されるメールの形式を利用して自動的にＣＳＩファイルの設定を行うことができるため、手間のかかる入力を行う必要がなく、ユーザの利便性が向上する。
【０１０４】
尚、データ記憶部１５に記憶されたメールの返信の代わりに転送を利用することも可能である。この場合、テキストには「Ｒｅ：」の代わりに「Ｆｗ：」が付加される。例えば、データ記憶部１５に記憶されたメールの履歴から転送メールを作成できる。また、受信メール、転送メール、送信メールなど、すでに送受信を行ったメールを用いずに新規にメールを作成し、これを変換してＣＳＩファイルを作成することも可能である。
【０１０５】
また、ＣＳＩ発信において、音声発信とＣＳＩファイルの送信が同時でなくてもよい。通信端末１００間で通話する予定の内容が通話開始前に知ることができればよいため、例えば音声発信を行う際にＣＳＩファイルを送信してもよいし、ＣＳＩファイルを送信後に音声発信を行っても良いし、ＣＳＩファイルを受信したことを示す受信確認データを発信端末が着信端末から受信した後に音声発信を行っても良い。
【０１０６】
次に、通信端末１００がＣＳＩファイルからメールに変換する場合の処理の一例について説明する。図５は、通信端末１００がＣＳＩファイルからメールに変換する場合の動作の一例を示すフローチャートである。図５では、通信端末１００の一例である発信端末が、メール付き発信を行う。メール付き発信では、通信端末１００の一例である着信端末へ音声発信を行うとともに、この音声発信に関する情報を報知するためのメールを送信する。
【０１０７】
まず、変換処理部１２は、データ記憶部１５に記憶されたＣＳＩファイルのメロディ、画像ファイルの有無に基づいて、ＳＭＳ（Ｓｈｏｒｔ  Ｍｅｓｓａｇｅ  Ｓｅｒｖｉｃｅｓ）／ＭＭＳ（Ｍｕｌｔｉｍｅｄｉａ  Ｍｅｓｓａｇｉｎｇ  Ｓｅｒｖｉｃｅｓ）（Ｅ−ｍａｉｌ）のいずれかを選択する（ステップＳ３１）。この場合、例えば、メロディ、画像ファイルの少なくとも一方がある場合にはＭＭＳ、いずれもない場合にはＳＭＳが選択される。
【０１０８】
続いて、変換処理部１２は、データ記憶部１５に記憶されたＣＳＩファイルのテキストをメールタイトルもしくはメール本文に設定する（ステップＳ３２）。テキストがない場合、本処理を省略してもよい。
【０１０９】
続いて、変換処理部１２は、データ記憶部１５に記憶されたＣＳＩファイルの画像ファイルをメール添付として設定する（ステップＳ３３）。画像ファイルがない場合、本処理を省略してもよい。
【０１１０】
続いて、変換処理部１２は、データ記憶部１５に記憶されたＣＳＩファイルのメロディファイルをメール添付として設定する（ステップＳ３４）。メロディファイルがない場合、本処理を省略してもよい。
【０１１１】
続いて、変換処理部１２は、データ記憶部１５に記憶されたＣＳＩファイルの発信番号または着信番号に基づいて、アドレス記憶部１３のアドレス帳を検索し、発信番号または着信番号に対応するメールアドレスを特定し、この番号をメールの発信番号として設定する。通信部１４は、メール付き発信を行う（ステップＳ３５）。尚、ＳＭＳの場合は、ＣＳＩファイルの発信番号または着信番号をそのまま設定する。また、アドレス帳に発信番号または着信番号に対応するメールアドレスが記憶されていない場合、例えば、＠の前の部分に発信番号または着信番号を設定し、「０９０ｘｘｘｘｘ＠ｘｘ．ｎｅ．ｊｐ」のように自動的にメールアドレスを設定してもよい。
【０１１２】
図５の処理を行う通信端末１００によれば、着信端末がＣＳＩファイルを見ることができない非対応端末である場合であっても、発信端末が音声発信時に着信報知情報をメールで送ることにより、着信端末で電話着信の内容が確認可能である。尚、非対応端末であるか否かをメールアドレスのドメイン名からＣＳＩファイルの受信が可能か否かをする判定部（不図示）を備えるようにし、受信可能な場合にＣＳＩファイルで送信し、受信不可能な場合にメールで着信報知に関するファイルを送信するようにしてもよい。
【０１１３】
次に、通信端末１００における感情推定処理の一例について説明する。図６は、通信端末１００が感情推定処理を行う場合の一例を示す図である。
【０１１４】
まず、変換処理部１２は、データ記憶部１５に記憶されたメール本文を解析し（ステップＳ４１）、感情抽出処理を行う（ステップＳ４２）。感情抽出処理では、例えば、メール本文から所定の文字を抽出し、抽出された文字をこの文字に対応付けられる感情ＩＤに変換する。また、変換処理部１２は、変換された感情ＩＤについて、同一の感情ＩＤの個数をカウントする。例えば「ラッキー」などの文字に対し、感情ＩＤの「喜び」が対応付けられている場合、メール本文中に「ラッキー」という文字があれば、感情ＩＤ「喜び」をカウントアップする。尚、メール本文ではなくタイトルを解析し、感情抽出処理を行ってもよい。
【０１１５】
続いて、変換処理部１２は、未解析部分があるか否かを判断する（ステップＳ４３）。
【０１１６】
未解析部分がある場合（ステップＳ４３のＹｅｓ）は、変換処理部１２は、ステップＳ４１に戻ってメール本文を解析する。未解析部分がない場合（ステップＳ４３のＮｏ）は、変換処理部１２は、感情ＩＤが複数あるか否かを判断する（ステップＳ４４）。
【０１１７】
感情ＩＤが複数ある場合（ステップＳ４４のＹｅｓ）は、変換処理部１２は、カウントの一番多い感情ＩＤを抽出する（ステップＳ４５）。感情ＩＤが１つ以下の場合、ステップＳ４５の処理をスキップする。
【０１１８】
続いて、変換処理部１２は、感情ＩＤに基づいて、各感情ＩＤに対応付けられている絵文字、画像、動画（アニメーション）、メロディなどの感情ファイルに変換する（ステップＳ４６）。
【０１１９】
続いて、変換処理部１２は、感情ファイルをデータ記憶部１５に保存し（ステップＳ４７）、処理を終了する。
【０１２０】
図６の処理を行う通信端末１００によれば、着信報知用のメロディファイルや画像ファイルを設定する際、メールの本文から感情を推定し、感情に応じたメロディ、画像を設定することが可能である。また、感情推定処理は、メールおよびＣＳＩファイルの変換処理を行う際に行い、推定された感情に基づくメロディファイルや画像ファイルをその場で設定してもよいし、メールおよびＣＳＩファイルの変換処理を行う前に行っておき、メールに関連付けてデータ記憶部１５に保存しておいてもよい。また、メール本文からではなく、ＣＳＩファイルのタイトルから感情推定処理を行うようにしてもよい。
【０１２１】
次に、回線交換方式を利用する着信報知サービスの一例について説明する。回線交換方式を利用する着信報知サービスとしては、例えば『着もじ（登録商標）』サービスがある。『着もじ』サービスでは、回線交換方式を利用したテキスト送信による着信報知を行うことが可能である。
【０１２２】
図７は、回線交換方式を利用した着信報知を行う場合の通信端末１００間（通信端末１００Ｃおよび１００Ｄ）の動作シーケンスの一例を示す図である。通信端末１００Ｃおよび１００Ｄは、通信端末１００の一例である。図７では、通信端末１００Ｃが、通信端末１００Ｄへ音声発信を行うとともに、この音声発信に関する情報を報知するためのテキストを送信するテキスト付き発信を行う。
【０１２３】
通信端末１００Ｃの表示部１６は発信画面７１０のように、発信番号とテキスト入力ウィンドウが表示する。通信端末１００Ｃの入力部１１は、着信時に表示されるテキストを入力し、通信部１４は通信端末１００Ｄへテキスト付き発信する（ステップＳ７０１）。通信端末１００Ｄの表示部１６は、通信端末１００Ｃが入力した例えば着信画面７２０の「今すぐ話したい♪○○××さん０９０ｘｘｘｘｘｘｘｘ」を表示し、通信端末１００Ｄの入力部１１が通話許可操作を行うと、通信端末１００Ｃと通信端末１００Ｄの間で通話が開始される（ステップＳ７０２）。
【０１２４】
図７の処理を行う通信端末１００によれば、一般的に利用されるメールの形式を利用して自動的にテキストの設定を行うことができるため、手間のかかる入力を行う必要がなく、ユーザの利便性が向上する。
【０１２５】
このような通信端末１００によれば、例えば、メールから自動的にＣＳＩファイルを作成することで、より簡素化された方法でＣＳＩ発信することが可能となる。また、ユーザの入力回数がより少なくなるため、ユーザビリティの向上に繋がる。また、メールの利用方法を知っていればＣＳＩを利用するための特別な知識を必要としないので、煩わしいＣＳＩファイルの作成手順を簡略し、ＣＳＩの利用促進を図ることができる。
【産業上の利用可能性】
【０１２６】
本発明は、着信報知を簡単に行うことが可能な通信端末等に有用である。
【図面の簡単な説明】
【０１２７】
【図１】本発明の実施形態にかかる通信端末の概略構成を説明するためのブロック図
【図２】本発明の実施形態にかかるメールからＣＳＩファイルに変換してＣＳＩ発信を行う場合の通信端末間の動作シーケンスの一例
【図３】本発明の実施形態にかかる通信端末がメールからＣＳＩファイルに変換してＣＳＩ発信を行う場合の動作の一例を示すフローチャート
【図４】本発明の実施形態にかかる通信端末がメールからＣＳＩファイルに変換する際の動作の一例を示すフローチャート
【図５】本発明の実施形態にかかる通信端末がＣＳＩファイルからメールに変換する際の動作の一例を示すフローチャート
【図６】本発明の実施形態にかかる通信端末が感情推定処理を行う場合の動作の一例を示すフローチャート
【図７】本発明の実施形態にかかる回線交換方式を利用した着信報知を行う場合の通信端末間の動作シーケンスの一例を示す図
【図８】従来のＣＳＩサービス例を示す図
【図９】従来のＣＳＩ発信フローを示す図
【符号の説明】
【０１２８】
１００、１００Ａ〜１００Ｄ  通信端末
１１  入力部
１２  変換処理部
１３  アドレス記憶部
１４  通信部
１５  データ記憶部
１６  表示部
１７  音声出力部
１８  制御部
【図１】
2009055213.tif 000003
【図２】
2009055213.tif 000004
【図３】
2009055213.tif 000005
【図４】
2009055213.tif 000006
【図５】
2009055213.tif 000007
【図６】
2009055213.tif 000008
【図７】
2009055213.tif 000009
【図８】
2009055213.tif 000010
【図９】
2009055213.tif 000011